(57)【要約】【課題】孔が狭くても挿入可能に構成できるうえに、確認したい状態を確実に検知させることができる鉄筋検知装置を提供する。【解決手段】鉄筋コンクリート構造物Ｒに穿孔された孔Ｈに挿入されて鉄筋Ｓを検知させる鉄筋検知装置１である。そして、孔の全長が検知可能となる長さに形成される軸部２と、軸部の先端に設けられる検知部３と、検知部によって得られた情報を検知信号として出力させる把持部４とを備えている。  さらに、検知部は、孔の壁面に接触可能となるように配置された少なくとも１組の正負の導電性の接触子（３１，３２）を有するとともに、正負の接触子間に閾値以上の電流が流れたときに検知ランプ４２に検知信号が出力される構成となっている。【選択図】図１
2014174029.tif 000002
【特許請求の範囲】
【請求項１】
鉄筋コンクリート構造物に穿孔された孔に挿入されて鉄筋を検知させる鉄筋検知装置であって、
前記孔の全長が検知可能となる長さに形成される軸部と、
前記軸部の先端に設けられる検知部と、
前記検知部によって得られた情報を検知信号として出力させる出力部とを備え、
前記検知部は、前記孔の壁面に接触可能となるように配置された少なくとも１組の正負の導電性の接触子を有するとともに、前記正負の接触子間に閾値以上の電流が流れたときに前記出力部に検知信号が出力されることを特徴とする鉄筋検知装置。
【請求項２】
前記正負の接触子間には絶縁体が介在されていることを特徴とする請求項１に記載の鉄筋検知装置。
【請求項３】
前記出力部は前記軸部の後端に設けられた報知部を有しており、前記検知信号が出力されると前記報知部による報知が行われることを特徴とする請求項１又は２に記載の鉄筋検知装置。
【請求項４】
前記軸部には、前記孔に挿入された長さを計測するための目盛部が設けられていることを特徴とする請求項１乃至３のいずれか一項に記載の鉄筋検知装置。
【請求項５】
前記接触子は、前記軸部の軸直交方向に広がる可撓性の面材によって形成されることを特徴とする請求項１乃至４のいずれか一項に記載の鉄筋検知装置。
【請求項６】
前記接触子は、弾性的に開閉自在に形成された前記軸部の先端に取り付けられることを特徴とする請求項１乃至４のいずれか一項に記載の鉄筋検知装置。
【請求項７】
前記接触子は、針状に形成されることを特徴とする請求項１乃至４のいずれか一項に記載の鉄筋検知装置。
【請求項８】
前記検知信号は、前記接触子による通電位置が識別可能となるように出力されることを特徴とする請求項１乃至７のいずれか一項に記載の鉄筋検知装置。
【請求項９】
前記軸部には、前記孔よりも大きな外形のリセット器が軸方向に沿って移動可能に装着されており、前記検知部に隣接する位置に設けられたスイッチ部まで前記リセット器を移動させることによって検査開始状態に設定されることを特徴とする請求項１乃至８のいずれか一項に記載の鉄筋検知装置。
【発明の詳細な説明】
【技術分野】
【０００１】
本発明は、せん断補強筋やアンカーボルトを挿入するためなどに鉄筋コンクリート構造物に穿孔された孔に、鉄筋が露出していないかなどを検知させる鉄筋検知装置に関するものである。
【背景技術】
【０００２】
鉄筋コンクリート製のボックスカルバートの壁や床版、又は橋脚や柱などの耐震補強を行うに際して、既設の鉄筋コンクリート構造物に孔を穿孔して、せん断補強筋を挿入するせん断補強方法が知られている（特許文献１，２など参照）。
【０００３】
これらのせん断補強方法を実施するにあたっては、まずコンクリート内部に埋設されている鉄筋の位置を確認し、鉄筋を損傷させないように穿孔を行う必要がある。
【０００４】
このように既設の鉄筋コンクリート構造物に埋設されている鉄筋の位置を確認する方法としては、様々な非破壊検査方法が知られている（特許文献３−５など参照）。
【０００５】
例えば、特許文献１には、送信コイルを用いて電磁波を発生させ、その電磁波をコンクリート内に侵入させ、その反射波を受信コイルで受信させることにより鉄筋の存在を検知させる電磁探査法が開示されている。
【０００６】
この特許文献１では、鉄筋位置を精度よく検出させるために、電磁探査法に磁気探査法を組み合わせている。磁気探査法は、センサー内に組み込まれたコイルによって磁界を発生させて送信し、鉄筋から電磁誘導によって発生される磁界強度を観測することにより鉄筋の位置を測定する方法である。特許文献４の金属物体認識方法も、この磁気探査法に基づいている。
【０００７】
一方、特許文献５には、マイクロ波を使ったコンクリートの非破壊検査方法が開示されている。この方法では、コンクリート構造物の表面からマイクロ波を照射して内部の温度を上昇させ、その温度分布を測定することで、内部にある空洞、又は鉄筋の位置や形状を検出させることができる。
【先行技術文献】
【特許文献】
【０００８】
【特許文献１】特許第３９３２０９４号公報
【特許文献２】特許第３８２９０８１号公報
【特許文献３】特開２００３−３１５００４号公報
【特許文献４】特開２０１１−６９６６７号公報
【特許文献５】特開２００７−１３２７３９号公報
【発明の概要】
【発明が解決しようとする課題】
【０００９】
しかしながら、電磁探査法や磁気探査法などの非破壊検査によって、鉄筋コンクリート構造物の内部に埋設されている鉄筋の位置を正確に特定するのは、依然として難しい。また、検知精度が向上しても、高密度で配筋が行われていたり、正確な位置に穿孔できなかったりすると鉄筋を損傷させる可能性がある。
【００１０】
このため、実際に穿孔された孔に対して、削孔機によって損傷を受けた鉄筋が孔の壁面に露出していないかどうかなどを確認できることが理想的である。一方、鉄筋コンクリート構造物に穿孔された孔は、非常に狭い（孔径が小さい）ものが多く、挿入できる測定機器も限定される。
【００１１】
また、上述したような電磁探査法や磁気探査法による測定精度では、鉄筋が孔壁に極めて近い位置にあるが露出はしていないような状態を判別することができない。
【００１２】
そこで、本発明は、孔が狭くても挿入可能に構成できるうえに、確認したい状態を確実に検知させることができる鉄筋検知装置を提供することを目的としている。
【課題を解決するための手段】
【００１３】
前記目的を達成するために、本発明の鉄筋検知装置は、鉄筋コンクリート構造物に穿孔された孔に挿入されて鉄筋を検知させる鉄筋検知装置であって、前記孔の全長が検知可能となる長さに形成される軸部と、前記軸部の先端に設けられる検知部と、前記検知部によって得られた情報を検知信号として出力させる出力部とを備え、前記検知部は、前記孔の壁面に接触可能となるように配置された少なくとも１組の正負の導電性の接触子を有するとともに、前記正負の接触子間に閾値以上の電流が流れたときに前記出力部に検知信号が出力されることを特徴とする。
【００１４】
ここで、前記正負の接触子間には絶縁体が介在されている構成にすることができる。また、前記出力部は前記軸部の後端に設けられた報知部を有しており、前記検知信号が出力されると前記報知部による報知が行われる構成にすることができる。
【００１５】
さらに、前記軸部には、前記孔に挿入された長さを計測するための目盛部が設けられていてもよい。また、前記接触子は、前記軸部の軸直交方向に広がる可撓性の面材によって形成させることができる。
【００１６】
また、前記接触子は、弾性的に開閉自在に形成された前記軸部の先端に取り付けられる構成であってもよい。さらに、前記接触子は、針状に形成されていてもよい。
【００１７】
そして、前記検知信号は、前記接触子による通電位置が識別可能となるように出力されるのが好ましい。また、前記軸部には、前記孔よりも大きな外形のリセット器が軸方向に沿って移動可能に装着されており、前記検知部に隣接する位置に設けられたスイッチ部まで前記リセット器を移動させることによって検査開始状態に設定される構成にすることができる。
【発明の効果】
【００１８】
このように構成された本発明の鉄筋検知装置は、孔の全長が検知可能となる長さに形成された軸部の先端に検知部が設けられている。この検知部は、導電性の接触子を有しており、正負を区別して回路に接続された接触子間に閾値以上の電流が流れたときに、孔の壁面に鉄筋が露出していることなどを検知する。
【００１９】
このように軸部の先端に検知部を設ける構成であるため、孔が狭くても挿入可能な構成にすることができる。また、鉄筋に対して接触子の接触があった場合のみを検知させることができるので、孔の壁面に鉄筋が露出した状態だけを検知させるなどの確認したい状態のみを確実に検知させることができる。
【００２０】
また、正負の接触子間に絶縁体が介在されていれば、誤って正負の接触子どうしが短絡して鉄筋を検知したのと同等の状態になることを防ぐことができる。さらに、軸部の後端に、光や音によって鉄筋の検知を知らせる報知部が設けられていれば、検査者は即座に鉄筋が検知されたことを認識することができる。また、軸部に挿入した長さを計測するための目盛部が設けられていれば、鉄筋が検知された孔の深さ方向の位置を容易に認識することができる。
【００２１】
そして、接触子を軸部直交方向に広がる可撓性の面材によって形成する場合は、面材を撓ませることで確実に接触子を孔の壁面に接触させることができる。また、弾性的に開閉自在に形成された軸部の先端に接触子を取り付ける構成であれば、弾性力によって接触子を孔の壁面に接触させることができる。さらに、接触子が針状に形成されていれば、接触子による通電位置を点で識別することができるようになる。
【００２２】
また、接触子による通電位置が識別可能となるように検知信号が出力されるのであれば、鉄筋が検知された孔の周方向の位置を特定することができ、露出した鉄筋の種類を判別できるようになる。
【００２３】
さらに、孔よりも大きな外形のリセット器を検知部に近づけることによって検査開始状態に設定できるように構成しておけば、孔の全長の検査を省略することなく実施させることができる。
【図面の簡単な説明】
【００２４】
【図１】本発明の実施の形態の鉄筋検知装置の構成を説明する図であって、（ａ）は全体図、（ｂ）は部分拡大図である。
【図２】鉄筋検知装置の全体の構成を示した側面図である。
【図３】鉄筋検知装置を鉄筋コンクリート構造物の孔に挿入した検査時の状態を示した説明図である。
【図４】検知部の構成を示した斜視図である。
【図５】接触子の構成を示した正面図である。
【図６】通電位置が識別可能となる検知部の構成を示した分解斜視図である。
【図７】報知部の構成を説明する図であって、（ａ）は横方向に通電位置があった場合の報知状態を示した図、（ｂ）は縦方向に通電位置があった場合の報知状態を示した図である。
【図８】鉄筋検知装置によって鉄筋コンクリート構造物の孔の検査を行う手順を説明する手順図である。
【図９】実施例１の鉄筋検知装置の検知部の構成を説明する部分拡大斜視図である。
【図１０】実施例１の鉄筋検知装置の構成を説明する図であって、（ａ）は孔に検知部を挿入する前の状態を説明する図、（ｂ）は孔に検知部を挿入した状態を説明する図である。
【図１１】実施例２の鉄筋検知装置の構成を示した説明図である。
【発明を実施するための形態】
【００２５】
以下、本発明の実施の形態について図面を参照して説明する。図１−３は、本実施の形態の鉄筋検知装置１の構成を説明する図である。この鉄筋検知装置１は、柱や壁や床版などの鉄筋コンクリート構造物Ｒに穿孔された孔Ｈに挿入されて、鉄筋Ｓが孔内側に露出しているか否かを検知する。
【００２６】
このような孔Ｈは、鉄筋コンクリート構造物Ｒの耐震補強を行うためにせん断補強筋を後から配置する場合や、鉄筋コンクリート構造物Ｒに対して設備や機器などを固定するためにアンカーボルトを打ち込む場合などに穿孔される。
【００２７】
本実施の形態の鉄筋検知装置１は、図１に示すように、孔Ｈの全長が検知可能となる長さに形成される軸部２と、軸部２の先端に設けられる検知部３と、検知部３によって得られる情報を検知信号として出力させる出力部としての把持部４とを主に備えている。
【００２８】
この軸部２は、管体部２１と、管体部２１の外周面に記される目盛部２２とから主に構成される。目盛部２２は、検知部３からの距離が読み取れるように記される。
【００２９】
また、管体部２１の内部では、後述するように検知部３と把持部４とを接続するための配線が行われる。このため管体部２１は、接触子間（電極間）の絶縁性を高めるためなどに、必要に応じて二重管や三重管などの多重管構造とすることができる。
【００３０】
一方、検知部３は、図１（ｂ）に示すように、正の接触子としての正側電極板３１と、負の接触子としての負側電極板３２と、絶縁体としての絶縁板３３とが積層された構造となっている。
【００３１】
接触子の形状について、図５を参照しながらさらに詳しく説明する。ここで、正側電極板３１と負側電極板３２とでは同様の構造となるため、正側電極板３１を例に説明する。
【００３２】
正側電極板３１は、軸部２の軸直交方向に面が広がる円板状に形成される。例えば、円形の中央部３１１の外周が複数の扇状の扇部３１２，・・・によって囲繞された形状にすることができる。
【００３３】
この扇部３１２，・・・は、金属板などの導電性の円板の外縁から、周方向に等間隔でスリット３１３，・・・を入れることによって形成することができる。またスリット３１３は、例えば円板の放射線上であって、半径の半分程度の長さの切り込みによって形成できる。このように正側電極板３１の外周部を複数の扇部３１２，・・・で形成すれば、外周部を容易に撓ませることができる。
【００３４】
一方、中央部３１１の中心には、検知部３の組み立て用の先端ボルト３６（図６参照）を挿通させるための中心孔３１４を設ける。また、中心孔３１４の周囲には、図１に示すような配線用のリード線３４，３５Ａ，３５Ｂを挿通させるための配線孔３１５，３１６を設ける。
【００３５】
なお、絶縁板３３は、ゴム板や塩化ビニルシートなどの絶縁体によって製作される以外は、正側電極板３１とほぼ同じ形状となるため、詳細な説明については省略する。
【００３６】
このように形成される正側電極板３１、負側電極板３２及び絶縁板３３は、少なくとも１組が検知部３に組み込まれる。図１に示した検知部３は、軸部２側から見て、負側電極板３２、絶縁板３３、正側電極板３１、絶縁板３３、負側電極板３２、絶縁板３３、正側電極板３１の順に積層されている。要するにこの検知部３には、２組の正負の電極板（３１，３２）が組み込まれている。図４は、組み立てられた検知部３の外観を示した斜視図である。
【００３７】
そして、正側電極板３１と負側電極板３２には、それぞれリード線３４，３５Ａ，３５Ｂが結線される。図１（ｂ）を参照しながら結線の一例を説明すると、まず正側の配線となるリード線３４に対して、２枚の正側電極板３１，３１がそれぞれ接続点３４１Ａ，３４１Ｂにおいて接続される。
【００３８】
一方、負側の配線となるリード線３５Ａに対しては、軸部２側の負側電極板３２が接続点３５１Ａにおいて接続される。さらに負側の配線となるリード線３５Ｂに対しては、もう一枚の負側電極板３２が接続点３５１Ｂにおいて接続される。
【００３９】
このように正側電極板３１と負側電極板３２とが結線された検知部３に対して、図１（ｂ）に示すように鉄筋Ｓが接触すると、鉄筋Ｓを介して正側電極板３１と負側電極板３２とが短絡して電流が流れることになる。
【００４０】
そして、リード線３４，３５Ａ，３５Ｂは、軸部２の管体部２１の内部を通って把持部４まで延伸される。管体部２１が二重管構造となっている場合は、例えばリード線３４を内管側（内管の内部）に配線し、リード線３５Ａ，３５Ｂを外管側（外管と内管との隙間）に配線する。
【００４１】
把持部４は、図１（ａ）に示すように、リード線３４，３５Ａ，３５Ｂと接続される検知回路４１と、その検知回路４１を収容する函体部４３と、報知を行う報知部としての検知ランプ４２と、これらを駆動させる電源４６とによって主に構成される。
【００４２】
検知回路４１は基板４１ａ上に取り付けられ、リード線３４，３５Ａ，３５Ｂと検知ランプ４２とに接続される。リード線３４，３５Ａ，３５Ｂのいずれかの経路に電流が流れると検知回路４１によってその電流の大きさ（又は抵抗値）が判定され、その計測値が閾値を超えた場合に検知信号が生成されて検知ランプ４２に電流が流れることになる。
【００４３】
要するに、正側電極板３１と負側電極板３２との間が水を介して短絡したり、薄いコンクリート膜を介して近接する鉄筋Ｓによって短絡したりした場合でも、微量の電流が検知回路４１には流れ込む。これらの微量な電流を含めたすべての電流が計測された場合に検知信号を生成すると、実際には孔Ｈの壁面に鉄筋Ｓが露出していない健全な状態の孔Ｈであっても、鉄筋Ｓが検知されたとして誤判定されるおそれがある。
【００４４】
そこで、検知回路４１によって計測された抵抗値や電流値の大きさを判定させて、確認したい状態が適切に検知できるようにする。例えば、水の電気抵抗率と鉄筋Ｓの電気抵抗率との間には107以上の差があるため、確実に判別させることができる。そして、検知回路４１によって検知信号が生成された場合にだけ、検知ランプ４２が点灯するように構成する。
【００４５】
図２，３を参照しながら、把持部４の構成についてさらに説明する。把持部４の函体部４３は、前後が開放された円筒形に形成されており、図３に示すように前蓋４３１によって軸部２側が塞がれ、後蓋４３２によって後端が塞がれる。
【００４６】
この前蓋４３１には、軸部２の管体部２１の端部が取り付けられる。また、前蓋４３１は、締結具４３１ａによって函体部４３に着脱自在に固定される。一方後蓋４３２は、締結具４３２ａによって函体部４３に着脱自在に固定される。
【００４７】
そして、函体部４３には、鉄筋検知装置１を起動させる起動ボタン４４が設けられる。この起動ボタン４４を押して、後述する所定の条件が揃ったときに、検査開始状態となって後蓋４３２の作動ランプ４４ａが点灯することになる。
【００４８】
この作動ランプ４４ａを点灯させる条件とは、リセット器４５１によって設定される。このリセット器４５１は、図３に示すように、孔Ｈの直径よりも大きな鍔部４５１ａと、その鍔部４５１ａと一体に成形される孔Ｈに挿入可能な大きさの円筒状の胴体部４５１ｂと、胴体部４５１ｂに収容される円環状の磁石部４５１ｃとによって主に構成される。
【００４９】
このリセット器４５１は、軸部２の軸方向に沿って移動可能に管体部２１に装着されている。一方、検知部３に隣接する管体部２１の内部には、スイッチ部４５２が設けられている。このスイッチ部４５２は、図２に示すようにスイッチ部４５２の位置が外部からも識別できるようになっている。
【００５０】
また、スイッチ部４５２は、管体部２１に沿って検知部３側に移動させたリセット器４５１の内側に格納されると、磁石部４５１ｃに反応してスイッチが切り替わる磁気スイッチとなっている。要するに検査を開始するためには、起動ボタン４４を押すだけでは充分ではなく、リセット器４５１をスイッチ部４５２上まで移動させてスイッチを入れなければならない。スイッチが入ると、後蓋４３２に設けられた作動ランプ４４ａが点灯するため、外部から認識することができる。
【００５１】
そして、検査開始後に検知部３が鉄筋Ｓを検知すると、後蓋４３２に設けられた検知ランプ４２が点灯するので、孔Ｈの壁面に鉄筋Ｓが露出していたと判別することができる。
【００５２】
この検知ランプ４２は、鉄筋Ｓの有無のみを検知させるのであれば、点灯パターンは１種類でよい。これに対して、図６に示すように検知部３Ａを構成すれば、孔Ｈの周方向における鉄筋Ｓの露出位置が識別できるようになるので、その場合は点灯パターンも複数、必要になる。
【００５３】
図６に分解斜視図で示した検知部３Ａは、正負の接触子（３１Ａ，３１Ｂ，３２Ａ，３２Ｂ）が翼状に形成される。すなわち上述した正側電極板３１は、円板状に形成されていたが、図６の先端ボルト３６側に示した正側電極板３１Ａは、上下の扇部３１２，・・・が取り除かれて、左右の扇部３１２，・・・のみが残された形状となっている。
【００５４】
このような形状となった正側電極板３１Ａは、孔Ｈの左右方向（Ｘ方向）に露出する鉄筋Ｓにしか接触することができない。同様の形態に負側電極板３２Ａも形成することによって、正側電極板３１Ａと負側電極板３２ＡとにはＸ方向にある鉄筋Ｓのみを検知させることができる。
【００５５】
一方、上下方向（Ｙ方向）に露出する鉄筋Ｓに対しては、正側電極板３１Ａ及び負側電極板３２Ａを９０度回転させた、正側電極板３１Ｂ及び負側電極板３２Ｂを配置すればよい。
【００５６】
このように構成された検知部３Ａであれば、鉄筋Ｓが孔ＨのＸ方向に露出しているか、Ｙ方向に露出しているかを識別することができる。そこで、図７に示すように、２種類の検知ランプ４２Ａ，４２Ｂを設けて、鉄筋Ｓの検知位置を検査者が識別できるようにする。
【００５７】
まず図７（ａ）は、孔ＨのＸ方向に鉄筋Ｓが露出していた場合の点灯パターンを示している。孔ＨのＸ方向に鉄筋Ｓが露出していると、図６の正側電極板３１Ａと負側電極板３２Ａとの間に電流が流れて検知回路４１に入力される。検知回路４１では、この計測値から後蓋４３２の左右に配置された検知ランプ４２Ａ，４２Ａを点灯させる検知信号を生成して出力を行う。
【００５８】
これに対して、図７（ｂ）は、孔ＨのＹ方向に鉄筋Ｓが露出していた場合の点灯パターンを示している。孔ＨのＹ方向に鉄筋Ｓが露出していると、図６の正側電極板３１Ｂと負側電極板３２Ｂとの間に電流が流れて検知回路４１に入力される。検知回路４１では、この計測値から後蓋４３２の上下に配置された検知ランプ４２Ｂ，４２Ｂを点灯させる検知信号を生成して出力を行う。
【００５９】
このように点灯パターンを複数設定することによって、孔Ｈの周方向の鉄筋Ｓの露出位置を検知ランプ４２Ａ，４２Ｂを見て識別することができるようになる。
【００６０】
次に、本実施の形態の鉄筋検知装置１を使った孔Ｈの検査方法について、図８を参照しながら説明する。
【００６１】
まず、図８（ａ）に示すように、軸部２後端の函体部４３に設けられた起動ボタン４４を押す。この段階では、まだ作動ランプ４４ａは点灯しない。そこで、図８（ｂ）に示すように、リセット器４５１を軸部２に沿って検知部３側に移動させる。
【００６２】
そして、リセット器４５１がスイッチ部４５２を覆う位置まで移動すると、磁気スイッチが入って作動ランプ４４ａが点灯し、検査開始状態になったことを検査者は認識できる。なお、この時点では、すべての検知ランプ４２，４２が消灯している。
【００６３】
続いて図８（ｃ）に示すように、検査者は把持部４を持って検知部３を孔Ｈに向けて挿入する。ここで、リセット器４５１は孔Ｈよりも外形が大きいため、孔口に引っ掛かって孔Ｈの内部には挿入されない。すなわち、検知部３と軸部２と把持部４のみが、孔Ｈの長さ分だけ前進することになる。
【００６４】
このようにして検知部３が孔Ｈの内部を前進している際に、孔Ｈの壁面に鉄筋Ｓが露出している箇所があると、図１（ｂ）に示すように鉄筋Ｓを介して正側電極板３１と負側電極板３２とが短絡して、検知回路４１まで電流が流れることになる。
【００６５】
この鉄筋Ｓのように電気抵抗率が小さい部材を介して正側電極板３１と負側電極板３２との間が短絡すると、検知回路４１に予め設定された閾値以上の電流が計測されることになる。
【００６６】
そして、この計測値に基づいて検知回路４１で検知信号が生成されると、生成された検知信号は検知ランプ４２に出力されて、図８（ｄ）に示すように検知ランプ４２が点灯することになる。この検知ランプ４２が点灯した時には、ブザーなどの警報音による報知を併せて行ってもよい。
【００６７】
なお、孔Ｈの内部は、穿孔時に使用した削孔水などで湿潤状態になっている場合もあるが、水を介して正側電極板３１と負側電極板３２との間に流れる微量の電流では検知回路４１で検知信号が生成されないため、検知ランプ４２が点灯することはない。
【００６８】
また、検知ランプ４２が点灯した時点で一旦、検知部３の挿入を止めて、軸部２の外周面に記された目盛部２２（図１参照）を読み取れば、検査者は鉄筋Ｓが孔Ｈのどの深さの位置で露出していたかを知ることができる。
【００６９】
次に、本実施の形態の鉄筋検知装置１の作用について説明する。
【００７０】
このように構成された本実施の形態の鉄筋検知装置１は、孔Ｈの全長が検知可能となる長さに形成された軸部２の先端に検知部３が設けられている。この検知部３は、導電性の正側電極板３１及び負側電極板３２を有しており、正負を区別して検知回路４１に接続された接触子（３１，３２）間に閾値以上の電流が流れたときに、孔Ｈに鉄筋Ｓが露出していることを検知する。
【００７１】
このように軸部２の先端に検知部３を設ける構成であるため、孔Ｈが狭くても挿入可能な構成にすることができる。例えばせん断補強筋を挿入するために穿孔される孔Ｈの直径は、20mm−100mm程度の大きさしかなく、従来の電磁探査法や磁気探査法などで使用される計測機器は挿入することができない。また、ファイバースコープを挿入したとしても、暗くて狭い孔の中に僅かに露出した鉄筋Ｓを漏れなく見つけ出すことは難しく、検査に時間がかかる。これ対して本実施の形態の鉄筋検知装置１であれば、検知部３を孔Ｈに挿入するだけで短時間に鉄筋Ｓの露出の有無を検知させることができる。
【００７２】
また、鉄筋Ｓに対して正側電極板３１及び負側電極板３２の接触があった場合のみを検知させることができるので、孔Ｈに鉄筋Ｓが露出した状態だけを検知させるなどの確認したい状態のみを確実に検知させることができる。
【００７３】
すなわち、穿孔によって鉄筋Ｓが損傷していなければ孔Ｈは正常に穿孔されたといえるので、薄膜一枚でも鉄筋Ｓが覆われていれば、鉄筋Ｓが検知されたとして報知する必要はない。しかしながら、鉄筋Ｓとの間に極薄いコンクリート膜が介在されているだけでは、正側電極板３１と負側電極板３２との間にわずかに電流が流れることがあるため、検知回路４１において検知させる状態であるか否かを電流値などの計測値の大きさに基づいて判別させる。
【００７４】
また、正側電極板３１と負側電極板３２との間に絶縁板３３が介在されていれば、正側電極板３１及び負側電極板３２が撓んだりして変形しても、誤って直接、接触して短絡することがないため、誤検知を防ぐことができる。
【００７５】
さらに、軸部２の後端に、光や音によって鉄筋Ｓの検知を知らせる報知部（４２，４２Ａ，４２Ｂ）が設けられていれば、検査者は即座に鉄筋Ｓの検知を認識することができる。
【００７６】
また、軸部２に孔Ｈに挿入した長さを計測するための目盛部２２が設けられていれば、鉄筋Ｓが検知された孔Ｈの深さ方向の位置を検査者は容易に読み取ることができる。
【００７７】
そして、正側電極板３１及び負側電極板３２を軸部２の直交方向に広がる可撓性の面材によって形成することで、図３の左側に示すように検知部３の外周部を撓ませて、確実に孔Ｈの壁面に接触させることができる。
【００７８】
また、図６，７を参照しながら説明した検知部３Ａのような構成であれば、鉄筋Ｓが露出している位置（正側電極板３１Ａと負側電極板３２Ａによる通電位置（又は正側電極板３１Ｂと負側電極板３２Ｂによる通電位置））が識別可能となるように検知信号を検知ランプ４２Ａ，４２Ｂに出力させることによって、鉄筋Ｓが検知された孔Ｈの周方向の位置を特定することができる。
【００７９】
鉄筋Ｓが孔Ｈの周方向のどの位置で露出していたかがわかれば、その鉄筋Ｓが構造的に重要な主筋なのか、補助的に配置される配力筋やフープ筋等なのかを判別することができる。
【００８０】
さらに、孔Ｈよりも大きな外形のリセット器４５１を検知部３に近づけることによって検査開始状態に設定できるように構成しておけば、孔Ｈの全長の検査を省略することなく実施させることができる。すなわち、どのような状態でも起動ボタン４４を押すことによって作動ランプ４４ａを点灯させることができれば、検知部３が孔底に到着したときに起動ボタン４４を押すことによって、鉄筋Ｓの露出がなかったことを装うこともできる。これに対して、孔Ｈに挿入することができないリセット器４５１を検知部３に近づけることが検査開始状態になる条件とした場合は、目盛部２２で挿入深さを読み取ることによって（又は、軸部２が孔Ｈから突出している長さと孔Ｈの深さとを比較することによって）、検知部３を実際に孔底まで挿入して検査を行ったか否かを判別することができる。
【実施例１】
【００８１】
以下、前記実施の形態で説明した鉄筋検知装置１とは別の形態の鉄筋検知装置１Ａについて、図９，１０を参照しながら説明する。なお、前記実施の形態で説明した内容と同一乃至均等な部分の説明については、同一符号や同一用語を使って説明する。
【００８２】
前記実施の形態で説明した鉄筋検知装置１の検知部３は、軸部２の軸直交方向に広がる面材である正側電極板３１及び負側電極板３２が組み込まれた構成であった。これに対して実施例１で説明する検知部５は、接触子が弾性的に開閉自在に形成された軸部６の先端に取り付けられている。
【００８３】
この実施例１の軸部６は、図９，１０に示すように、軸部６の継手部６１よりも先が２分割された先割部６２となっている。この先割部６２は、鋼管などの円筒状の弾性部材を軸に沿って半分に分割することによって形成することができる。
【００８４】
この半円筒状の２つの半円筒部６２ａ，６２ａは、図９に示すように、先端に行くほど離隔するように外側に沿った弓状にそれぞれ成形される。この半円筒部６２ａ，６２ａは、弾性材料によって形成されているので、弾性的に開閉させることができる。すなわち外力が作用していない状態では、図９に示すように開いた状態になるが、図１０（ａ）の矢印の方向に力を加えると閉じた状態になる。そして、図１０（ｂ）に示すように、復元力によって孔Ｈの大きさに応じて開くことになる。
【００８５】
この先割部６２の先端に、検知部５が設けられる。検知部５は、図９に示すように、正の接触子としての正側電極板５１と、負の接触子としての負側電極板５２と、絶縁体としての絶縁板５３とが先割部６２の周方向に積層された構成となっている。
【００８６】
詳細には、半円筒部６２ａ，６２ａの外周に半円筒状の基部５４Ａ，５４Ｂがそれぞれ取り付けられ、それらの基部５４Ａ，５４Ｂに対して複数の正側電極板５１、負側電極板５２及び絶縁板５３が取り付けられる。
【００８７】
正側電極板５１及び負側電極板５２は、金属板などの導電性の板状材料によって長方形に成形される。また、絶縁板５３は、ゴム板などの絶縁体によって正側電極板５１や負側電極板５２とほぼ同じ長方形に成形される。
【００８８】
これらの正側電極板５１、負側電極板５２及び絶縁板５３は、基部５４Ａ，５４Ｂの外周面に対して法線方向に突出するように取り付けられる。それに加えて正側電極板５１、負側電極板５２及び絶縁板５３は、先割部６２が閉じた状態のときの軸方向と略平行に表面がなる方向に向けて取り付けられる。
【００８９】
この図９に示した形態では、長方形板（５１，５２，５３）の短辺方向が基部５４Ａ，５４Ｂの外周面の法線方向と一致し、長辺方向が先割部６２の軸方向と平行になる。要するに、正側電極板５１、負側電極板５２及び絶縁板５３は、軸部６の軸方向を含む方向に広がる面材として基部５４Ａ，５４Ｂに取り付けられる。
【００９０】
また、基部５４Ａ，５４Ｂに対して、周方向に正側電極板５１、絶縁板５３、負側電極板５２の順となるように、複数組の正負の接触子及び絶縁体が取り付けられる。
【００９１】
このようにして軸部６の先端に設けられる検知部５と把持部４との間をつなぐ配線については、上述した鉄筋検知装置１のリード線３４，３５Ａ，３５Ｂによる配線と同様となるため、詳細な説明は省略する。
【００９２】
続いて、実施例１の鉄筋検知装置１Ａを使った孔Ｈの検査方法について説明する。
【００９３】
まず、鉄筋検知装置１Ａの検知部５を、図１０（ａ）に示すように鉄筋コンクリート構造物Ｒに穿孔された孔Ｈの孔口に近づけ、孔Ｈの直径よりも検知部５の外形が小さくなるまで矢印方向に力を加えて先割部６２を閉じさせる。
【００９４】
この状態で検知部５を孔Ｈに挿入すると、図１０（ｂ）に示すように孔Ｈの内部で先割部６２が復元力によって開いて、検知部５の外周面が孔Ｈの壁面に密着することになる。この検知部５の外周面とは、すなわち正側電極板５１及び負側電極板５２の端面によって形成されている。
【００９５】
このため、鉄筋Ｓが孔Ｈに露出していれば、正側電極板５１と負側電極板５２との間が鉄筋Ｓによって短絡することになる。そして、正側電極板５１と負側電極板５２との間に閾値以上の電流が流れれば、検知回路４１によって検知信号が生成されて検知ランプ４２が点灯すため、検査者は鉄筋Ｓが検知されたことを認識することができる。
【００９６】
このように構成された実施例１の鉄筋検知装置１Ａは、弾性的に開閉自在に形成された軸部６の先端の先割部６２に、長方形板状の正負の接触子（５１，５２）が軸部６の軸方向を含む方向に広がる面材として取り付けられる。
【００９７】
このため、先割部６２の弾性力（復元力）によって接触子（５１，５２）を確実に孔Ｈの壁面に接触させることができる。また、このような先割部６２の弾性力を利用する構成であれば、接触子（５１，５２）を変形させるわけではないため、孔Ｈへの挿入を繰り返しても接触子（５１，５２）自体は損傷しにくく、多くの孔Ｈの検査に使用することができる。
【００９８】
なお、他の構成及び作用効果については、前記実施の形態又は他の実施例と略同様であるので説明を省略する。
【実施例２】
【００９９】
以下、前記実施の形態又は実施例１で説明した鉄筋検知装置１，１Ａとは別の形態の鉄筋検知装置１Ｂについて、図１１を参照しながら説明する。なお、前記実施の形態又は実施例１で説明した内容と同一乃至均等な部分の説明については、同一符号や同一用語を使って説明する。
【０１００】
前記実施の形態及び実施例１では、板状に形成された接触子（３１，３２，５１，５２）を有する検知部３，５について説明したが、実施例２では、針状の接触子を有する検知部７が設けられた鉄筋検知装置１Ｂについて説明する。
【０１０１】
この検知部７は、軸部２の先端に設けられた円筒状の基部７７の外周面から、複数の針状の接触子が放射方向に突出する構成となっている。この針状の接触子には、正の接触子としての正側針部７１と、負の接触子としての負側針部７２とがある。
【０１０２】
正側針部７１及び負側針部７２は、例えば銅線などの導電性の電線によって形成することができる。正側針部７１及び負側針部７２は、先端のみが露出しており、基部７７までの大部分は絶縁体としての被覆部７３によって覆われている。被覆部７３は、例えばポリ塩化ビニルやポリエチレンなどの合成樹脂によって形成される。
【０１０３】
複数の正側針部７１，・・・及び負側針部７２，・・・が取り付けられた基部７７は、先端ボルト７６によって軸部２の先端に固定される。また、正側針部７１，・・・は、検知回路４１の正側に接続されるリード線７４にそれぞれ接続される。一方、負側針部７２，・・・は、検知回路４１の負側に接続されるリード線７５Ａ，７５Ｂなどに接続される。
【０１０４】
このように構成された実施例２の鉄筋検知装置１Ｂは、検知部７が多くの針状の接触子（７１，・・・、７２，・・・）によって構成される。このため、鉄筋Ｓの検知位置を点で認識することができるようになる。
【０１０５】
なお、他の構成及び作用効果については、前記実施の形態又は他の実施例と略同様であるので説明を省略する。
【０１０６】
以上、図面を参照して、本発明の実施の形態を詳述してきたが、具体的な構成は、この実施の形態及び実施例に限らず、本発明の要旨を逸脱しない程度の設計的変更は、本発明に含まれる。
【０１０７】
例えば、前記実施の形態では、報知部として光で報知を行う検知ランプ４２を主に説明してきたが、これに限定されるものではなく、音で報知を行う報知部であってもよい。
【０１０８】
また、前記実施の形態では、出力部としてその場で検査者が認識できる検知ランプ４２や警報音などの報知部を有する構成について説明したが、これに限定されるものではなく、フラッシュメモリやハードディスクなどの記憶媒体、又は別途設置されたモニタ画面などが出力部であってもよい。
【０１０９】
さらに、前記実施の形態では、軸部２の外周面に目盛部２２が設けられた形態について説明したが、これに限定されるものではなく、例えば挿入距離を計測するための車輪などを有する距離計を鉄筋検知装置１，１Ａ，１Ｂに組み込んで計測を行ってもよい。
【０１１０】
また、前記実施の形態では、金属板などを導電性材料として使用した場合について説明したが、これに限定されるものではなく、半導体材料によっても本発明の導電性の接触子を形成することができる。半導体材料によって接触子を形成するのであれば、材料特性としてある大きさを超えたときにだけ電流が流れるという構成にできるため、検知回路４１を省略して、直接、出力部に検知信号を送らせることも可能になる。
【０１１１】
さらに、前記実施の形態では、孔Ｈの壁面に鉄筋Ｓが露出している状態のみを検知させる構成について説明したが、これに限定されるものではなく、検知回路４１の設定を調整することによって、露出はしていないが孔Ｈに近接している鉄筋Ｓであっても検知させることができるようになる。
【符号の説明】
【０１１２】
Ｒ              鉄筋コンクリート構造物
Ｓ              鉄筋
Ｈ              孔
１              鉄筋検知装置
２              軸部
２２            目盛部
３，３Ａ        検知部
３１，３１Ａ，３１Ｂ  正側電極板（正の接触子）
３２，３２Ａ，３２Ｂ  負側電極板（負の接触子）
３３            絶縁板（絶縁体）
４              把持部（出力部）
４１            検知回路
４２，４２Ａ，４２Ｂ  検知ランプ（報知部）
４５１          リセット器
４５２          スイッチ部
１Ａ            鉄筋検知装置
５              検知部
５１            正側電極板（正の接触子）
５２            負側電極板（負の接触子）
５３            絶縁板（絶縁体）
６              軸部
６２            先割部
１Ｂ            鉄筋検知装置
７              検知部
７１            正側針部（正の接触子）
７２            負側針部（負の接触子）
７３            被覆部（絶縁体）
【図１】
2014174029.tif 000003
【図２】
2014174029.tif 000004
【図３】
2014174029.tif 000005
【図４】
2014174029.tif 000006
【図５】
2014174029.tif 000007
【図６】
2014174029.tif 000008
【図７】
2014174029.tif 000009
【図８】
2014174029.tif 000010
【図９】
2014174029.tif 000011
【図１０】
2014174029.tif 000012
【図１１】
2014174029.tif 000013